(57)【要約】      （修正有）【課題】専用の清掃器具や清掃方法を記載した取扱説明書などを必要とせず、簡単な構造で、印字機構などを容易に清掃することができるラベル発行装置を提供する。【解決手段】ラベル発行装置は、清掃箇所に対応した操作キーを選択する選択手段１０２を有する。清掃情報出力手段１０１は、選択手段１０２で選択された清掃箇所に応じた清掃情報を印字部（発行手段）によりラベルに印字する処理を行う。清掃情報としての組立情報は清掃箇所に対応して異なる。この場合、ユーザは、選択手段１０２により清掃箇所を選択することで、清掃箇所に応じた清掃情報を印字部（発行手段）により容易に発行させることができる。【選択図】図３
0003196102.tif 000002
【実用新案登録請求の範囲】
【請求項１】
ラベルを発行する発行手段を備えたラベル発行装置であって、
前記ラベル発行装置に関する清掃情報を出力する処理を行う清掃情報出力手段を有することを特徴とする
ラベル発行装置。
【請求項２】
前記清掃情報出力手段は、ラベルを清掃器具として使用するための当該ラベルの組立情報を含む前記清掃情報を、前記発行手段により該ラベルに印字することを特徴とする請求項１に記載のラベル発行装置。
【請求項３】
表示手段を有し、
前記清掃情報出力手段は、前記清掃情報を前記表示手段に表示する処理を行うことを特徴とする請求項１または請求項２に記載のラベル発行装置。
【請求項４】
前記清掃情報出力手段は、操作キーが操作された場合に、前記清掃情報を前記発行手段により前記ラベルに印字する処理を行うことを特徴とする請求項１から請求項３のいずれかに記載のラベル発行装置。
【請求項５】
清掃箇所に対応した清掃情報を有し、
前記清掃情報出力手段は、選択手段で選択された清掃箇所に応じた清掃情報を前記発行手段により前記ラベルに印字する処理を行うことを特徴とする請求項１から請求項４のいずれかに記載のラベル発行装置。
【請求項６】
前記清掃情報出力手段は、予め設定された条件を満たした場合、前記ラベル発行装置に対する清掃を催促する清掃催促情報を報知手段により報知する処理を行うことを特徴とする請求項１から請求項５のいずれかに記載のラベル発行装置。
【考案の詳細な説明】
【技術分野】
【０００１】
本考案は、ラベル発行装置に関する。
【背景技術】
【０００２】
用紙に印字する印刷機構を備える印刷装置が知られている（例えば、特許文献１参照）。
ラベルプリンタなどの印刷装置では、ヘッドや印字機構などの汚れが印字品質低下の原因となる。
【先行技術文献】
【特許文献】
【０００３】
【特許文献１】特開平８−２９５０６８号公報
【考案の概要】
【考案が解決しようとする課題】
【０００４】
しかしながら、一般的な印刷装置では、利用者などによる、定期的または必要に応じた時に清掃を要するが、クリーニングペンなどの専用の清掃器具の紛失、清掃方法を記載した取扱説明書の紛失等により、適切に清掃が行われない場合がある。この場合、印字品質の早期低下などの不具合が生じることがある。
【０００５】
本考案は、上述した問題に鑑みてなされたもので、専用の清掃器具や清掃方法を記載した取扱説明書などを必要とせず、簡単な構造で、印字機構などを容易に清掃することができるラベル発行装置を提供すること、などを目的とする。
【課題を解決するための手段】
【０００６】
このような目的を達成するために、本考案によるラベル発行装置は、以下の構成を少なくとも具備するものである。
ラベルを発行する発行手段を備えるラベル発行装置であって、
前記ラベル発行装置の清掃情報を出力する処理を行う清掃情報出力手段を有することを特徴とする。
清掃情報出力手段による前記ラベル発行装置の清掃情報を出力する処理とは、例えば、前記発行手段により清掃情報をラベルに印字する処理、表示部に清掃情報を表示する処理、通信部によりデータ送信先のコンピュータなどに清掃情報を送信する処理、スピーカなどの発音部により清掃情報（音声ガイダンスなどで）を発音するする処理、などである。
【考案の効果】
【０００７】
本考案によれば、専用の清掃器具や清掃方法を記載した取扱説明書などを必要とせず、簡単な構造で、印字機構などを容易に清掃することができるラベル発行装置を提供することができる。
【図面の簡単な説明】
【０００８】
【図１】本考案の実施形態に係るラベル発行装置としての商品販売データ処理装置の一例を示す斜視図。
【図２】ラベル発行装置の電気的な機能ブロック図。
【図３】制御部の機能ブロック図。
【図４】ラベル発行装置により発行される通常のラベルの一例を示す図。
【図５】ラベル発行装置により発行される清掃ラベルの一例を示す図。
【図６】ラベル発行装置の清掃箇所の選択画面の一例を示す図。
【図７】ラベルによる装置の清掃を説明するための図、（ａ）は開状態の装置前面部の一例を示す斜視図、（ｂ）ラベルによる印刷手段の清掃を説明するための図。
【図８】ラベル発行装置の動作の一例を示すフローチャート。
【考案を実施するための形態】
【０００９】
本考案の実施形態に係るラベル発行装置は、ラベルを発行する発行手段と、ラベル発行装置の清掃情報を出力する処理を行う清掃情報出力手段と、を有する。
本考案の実施形態に係るラベル発行装置としての商品販売データ処理装置を、図面を参照しながら説明する。
本考案の実施形態は図示の内容を含むが、これのみに限定されるものではない。なお、以後の各図の説明で、既に説明した部位と共通する部分は同一符号を付して重複説明を一部省略する。
【００１０】
図１は本考案の実施形態に係るラベル発行装置としての商品販売データ処理装置１００の一例を示す斜視図である。図２はラベル発行装置の電気的な機能ブロック図である。
本実施形態では、商品販売データ処理装置１００をセルフ式計量装置に適用した場合を説明する。この商品販売データ処理装置１００は、スーパーなどの店舗に設置され、物品を容器に収容した商品の種類、金額などの販売データを生成して、その販売データを、金銭登録機、ホストコンピュータなどに登録することができる。また、この商品販売データ処理装置１００は、プリンタなど印字部９を備え、印字部９により販売データに応じたラベルを発行することができる。
【００１１】
商品販売データ処理装置１００（セルフ式計量装置）は、量り売りまたは個数売りの販売形態であるかを指定する操作入力を操作者（顧客）が行うことなく、セルフ式計量装置の計量部７の計量皿などに商品を載置したとき、量り売り商品、及び、個数売り商品の何れかの販売形態であるかを自動的に判別して、その商品の販売データを生成する。また、商品販売データ処理装置１００は、商品の販売形態に応じた情報を印字したラベルを発行する。顧客は上記ラベルを容器に貼付し、金銭登録機の設置された場所にて、所定の金額を支払う。
【００１２】
以下、商品販売データ処理装置１００（セルフ式計量装置）の各構成要素を詳細に説明する。
【００１３】
本考案の実施形態に係る商品販売データ処理装置１００は、制御部１（ＣＰＵ）と、記憶部（記憶手段）としてのＲＯＭ２およびＲＡＭ３と、補助記憶部４と、操作部５と、表示部６（表示手段）と、計量部７と、撮像部８と、印字部９と、通信部１０と、音声出力部１１（スピーカ）と、などを有する。上記各構成要素は、バスなどの通信線１２などにより電気的に接続されている（図２など参照）。
【００１４】
図１に示したように、商品販売データ処理装置１００の装置本体部１００ａに、例えば、商品、または、商品を収容した容器などの被測定物としての物体を載置する載置部としての計量皿（不図示）などを備えた計量部７が設けられている。装置本体部１００ａには、プリンタなどの印字部９が設けられており、排紙口９ａから印字部９により発行されたラベルが排紙される。
装置本体部１００ａの上部には支柱部１００ｂにより支持された操作部５や表示部６などが設けられている。本実施形態では、操作部５や表示部６としてタッチパネル装置を採用している。操作部５や表示部６、または、支柱部１００ｂには、計量部７の計量皿（載置部）などに載置された被測定物としての商品（容器）を撮像する撮像部８が設けられている。計量部７上に撮像部８の撮像範囲８０（認識範囲）が設定されている。
【００１５】
制御部１（ＣＰＵ）は、商品販売データ処理装置１００の各構成要素を統括的に制御する。
【００１６】
ＲＯＭ２は本考案に係る各種プログラムや設定値などを記憶する。ＲＡＭ３はプログラムを実行するためのワークエリアを有する。また、本実施形態では記憶部としてのＲＡＭ３は、清掃情報などを有する。
清掃情報は、ラベル発行装置を清掃するための情報である。この清掃情報は、ラベルをラベル発行装置に対する清掃器具として使用するための当該ラベルの組立情報を含む。この組立情報は、文字情報や図形などの画像情報を有する。つまり、組立情報は、清掃箇所に応じて最適形状となるようにラベルを組み立てる情報である。
また、清掃情報は、清掃方法を示す情報を含む。清掃方法を示す情報は、ラベル発行装置の各箇所（サーマルヘッドやカッター機構など）の清掃を行うための情報であり、例えば、清掃箇所にアクセスするまでの手順や清掃後に使用可能な状態に戻すための方法などを示す文章、文字、図形、画像などを含む。
【００１７】
補助記憶部４は、例えば、着脱自在なフラッシュメモリなどの記憶装置であり、商品販売データ処理装置１００に関する設定情報などを保存可能である。
操作部５は、スイッチ、ボタン、タッチパネルなどであり、操作者（顧客など）により操作され、所定の操作入力に応じた信号を制御部１に出力する。
表示部６は、制御部１の制御により、本考案に係る表示を行う。本実施形態では、タッチパネル式の表示部６を採用している。
【００１８】
計量部７は、計量皿（載置部）などを有し、計量皿などに載置された物体などの被測定物の質量を計量し、質量データを示す情報を制御部１に出力する。
【００１９】
撮像部８は、例えば、商品、容器などの被測定物としての物体を撮像する。本実施形態では、計量部７上の撮像範囲８０（認識範囲）に載置された被測定物としての物品を収容した容器を撮像して制御部１に出力する。撮像部８としては、ＣＣＤ撮像装置、ＣＭＯＳ撮像装置などを挙げることができる。
【００２０】
印字部９（発行手段）は、制御部１の制御によりラベルを発行する。ラベルは、例えば、裏面に粘着層を有する。本実施形態では、ラベルは、台紙レスラベルである。尚、ラベルとして、台紙ありのラベル、熱活性・水活性式のラベルなどの粘着性を設けたシートなどであってもよい。
【００２１】
通信部１０は、制御部１の制御により、有線式または無線式の通信路を介して金銭登録機、ホストコンピュータなどのコンピュータとデータ通信を行うことが可能である。
【００２２】
音声出力部１１（スピーカ）は、制御部１の制御により、商品販売データ処理装置１００（セルフ式計量装置）に関する操作案内、エラー音などの音を所定のタイミングで発音可能である。
【００２３】
上述したように、制御部１（ＣＰＵ）は、記憶部に記憶された制御用プログラムを実行することにより、コンピュータとしての商品販売データ処理装置１００に、本考案に係る機能を実現させる。
制御部１は、図３に示したように、清掃情報出力手段１０１（清掃情報出力部）、選択手段１０２（選択部）、などを有する。
【００２４】
清掃情報出力手段１０１は、ラベル発行装置に関する清掃情報を出力する処理を行う。
例えば、清掃情報出力手段１０１は、ラベル発行装置に関する清掃情報を印字部９（発行手段）によりラベルに印字する処理を行う。
また、清掃情報出力手段１０１は、ラベルを清掃器具として使用するための当該ラベルの組立情報を含む清掃情報を、印字部９（発行手段）によりそのラベルに印字する処理を行う。
また、清掃情報出力手段１０１は、清掃情報を表示部６に表示する処理を行う。
【００２５】
また、清掃情報出力手段１０１は、操作キーが操作された場合に、清掃情報を印字部９（発行手段）によりラベルに印字する処理を行う。
【００２６】
また、清掃情報出力手段１０１は、予め設定された条件を満たした場合、ラベル発行装置に対する清掃を催促する清掃催促情報を表示部に表示する処理を行う。
【００２７】
選択手段１０２は、例えば、表示部に表示された清掃箇所に対応した操作キーを選択する。清掃情報出力手段は、選択手段１０２で選択された清掃箇所に応じた清掃情報を出力する処理、例えば、印字部９（発行手段）によりラベルに印字する処理などを行う。
【００２８】
図４はラベル発行装置により発行される通常のラベルの一例を示す図である。
図４に示したラベルには、商品名、計量部により計量された質量に応じた値段、製造年月日、製造店舗名、店舗住所、ＪＡＮコードなどの識別情報を示すバーコードなどが印字されている。
【００２９】
図５はラベル発行装置により発行される清掃ラベルの一例を示す図である。
この清掃用のラベルＬ（清掃ラベル）には、ラベルを清掃器具として組み立てるための組立情報（清掃情報）として、文字情報や、図形などの画像情報などが印字部（印字手段）により印字される。
詳細には、組立情報としては、ラベルの折り目を示す点線、ラベルを折り曲げる方向を示す矢印、ラベルを折り曲げる順番を示す情報、などが含まれる。
ユーザは、この組立情報（清掃情報）に従って、ラベルＬを折り曲げるなどの組み立て手順を行うことにより、ラベルを清掃器具とすることができる。
また、ラベル発行装置は、このようなラベルの組立図を、ラベルに印字してもよいし、表示部に表示してもよい。また、ラベル発行装置は、例えば、実線・点線などにより山折・谷折などを表現したラベルの組立図を、ラベルに印字してもよいし、表示部へ表示してもよい。
【００３０】
図６はラベル発行装置の清掃箇所の選択画面の一例を示す図である。
清掃箇所選択を示す選択画面６１には、例えば、複数の清掃箇所を示す操作ボタン（操作キー）が表示されている。
例えば、「１．サーマルヘッド」、「２．カッター」、「３．プラテンローラー」、「４．搬送面」、「５．ラベル受け部」などの操作キーが選択画面６１に表示されている。
この選択画面６１で所定の操作キーが操作された場合、制御部は、その操作キーに対応する清掃情報（組立情報）をラベルに印字する処理などの出力処理を行う。
【００３１】
図７はラベルによるラベル発行装置の清掃を説明するための図である。図７（ａ）は開状態の装置前面部の一例を示す斜視図、図７（ｂ）はラベルによる印刷手段の清掃を説明するための図である。
図７に示した例では、印字部９の清掃を行う場合を説明する。
清掃時、印字部９が設けられた装置の前面部分を開状態とする。そして、ユーザは、清掃用のラベルＬにより、装置前面部の裏側などの清掃箇所の汚れやゴミなどを拭き取る。こうすることで、所定の清掃箇所をラベルＬにより簡単に清掃することができる。尚、清掃箇所は、この形態に限られるものではない。
また、ラベル発行装置は、例えば、図７（ａ）、図７（ｂ）に示したような図などを表示部に表示してもよいし、ラベルに印字してもよい。
【００３２】
図８はラベル発行装置の動作の一例を示すフローチャートである。
ステップＳＴ１において、制御部は、清掃情報出力キー（操作キー）を押下したか否かを判別し、清掃情報出力キーが押下された場合、ステップＳＴ２の処理に進み、それ以外の場合、ステップＳＴ１の処理に進む。
【００３３】
ステップＳＴ２において、制御部は、選択画面を表示部に表示する。
ステップＳＴ３において、制御部は、操作部からの信号に基づいて、操作ボタンが選択操作されたか否かを判別し、選択された場合、ステップＳＴ４の処理に進み、それ以外の場合、ステップＳＴ３の処理に進む。
【００３４】
ステップＳＴ４において、制御部は、選択された操作ボタンに対応する清掃画面を表示する処理を行う。また、制御部は、ラベル発行の有無を確認する。
【００３５】
ステップＳＴ５において、制御部は、記憶部に記憶されている印刷ジョブの有無などに基づいてラベル発行の有無を判別し、ラベル発行の印刷ジョブがある場合、印字部によるラベルの発行処理を行い、それ以外の場合、ステップＳＴ７の処理に進む。
ステップＳＴ６において、制御部は、印刷部によりラベルに清掃情報を印字することで、ラベル発行する処理を行う。
【００３６】
ステップＳＴ７において、制御部は、終了キーが押下されたか否か（操作されたか否か）を判別し、終了キーが押下された場合（操作された場合）、清掃用のラベル印字に関する処理を終了し、それ以外の場合、ステップＳＴ１の処理に進む。
【００３７】
以上、説明したように、本考案の実施形態に係るラベル発行装置（ラベルプリンタ）は、ラベルを発行する発行手段としての印字部９と、ラベル発行装置の清掃情報を出力する処理を行う清掃情報出力手段１０１（制御部１）とを有する。
清掃情報出力手段による前記ラベル発行装置の清掃情報を出力する処理とは、例えば、前記発行手段により清掃情報をラベルに印字する処理、表示部に清掃情報を表示する処理、通信部によりデータ送信先のコンピュータなどに清掃情報を送信する処理、スピーカなどの発音部により清掃情報（音声ガイダンスなどで）を発音するする処理、などである。
このため、専用の清掃器具や清掃方法を記載した取扱説明書などを必要とせず、簡単な構造で、印字部（印字機構）などの装置構成要素を容易に清掃可能なラベル発行装置を提供することができる。
【００３８】
また、本考案の実施形態に係るラベル発行装置の清掃情報出力手段１０１は、ラベルをラベル発行装置に対する清掃器具として使用するための当該ラベルの組立情報を含む清掃情報を、発行手段としての印字部９により該ラベルに印字する処理を行う。この場合、組立情報を文字情報や、図形などの画像情報でラベルに印字する。
このため、ユーザは、ラベルに印字された組立情報に従って、ラベルを屈曲させる等の組み立て手順を行うことにより、ラベル発行装置に対する清掃器具とすることができる。
【００３９】
また、本考案の実施形態では、ラベル発行装置は表示部６（表示手段）を有し、清掃情報出力手段１０１は、清掃情報を表示部６（表示手段）に表示する処理を行う。
この場合、ユーザは、表示部６に表示された清掃情報により、清掃情報を認識することができ、その清掃情報に従ってラベルを清掃器具とすることができる。
【００４０】
また、本考案の実施形態では、清掃情報出力手段１０１は、表示部６に表示された操作可能な操作キー、または、操作部５の操作キーが操作された場合に、清掃情報を印字部９（発行手段）によりラベルに印字する処理を行う。
この場合、ユーザは、清掃に関する操作キーを操作することで、清掃情報を所望のタイミングで印字部９（発行手段）によりラベルに印字させることができる。
【００４１】
また、本考案の実施形態に係るラベル発行装置は、清掃箇所に対応した操作キーを選択する選択手段１０２を有する。清掃情報出力手段１０１は、選択手段１０２で選択された清掃箇所に応じた清掃情報を印字部９（発行手段）によりラベルに印字する処理を行う。
清掃情報としての組立情報は清掃箇所に対応して異なる。
この場合、ユーザは、選択手段１０２により清掃箇所を選択することで、清掃箇所に応じた清掃情報を印字部９（発行手段）により容易に発行させることができる。
【００４２】
また、本考案の実施形態では、例えば、通電時間が規定時間を超える、発行されたラベル枚数が規定枚数を超える、プラテンローラーの走行距離が規定距離を超える、などの予め設定された条件を満たした場合、清掃情報出力手段１０１は、ラベル発行装置に対する清掃を催促する清掃催促情報を報知手段により報知する処理、例えば、報知手段として表示部６に表示する処理を行う。また、ラベル発行装置自体を自己検査する検査手段を有し、その検査の結果エラーが検出された場合に、清掃情報出力手段１０１が清掃催促情報を表示部６に表示する処理を行ってもよい。
【００４３】
ユーザは、表示部６で表示された清掃催促情報により、清掃タイミングを認識することができる。つまり、ラベル発行装置はこの清掃タイミングで清掃されるので、印字品質の早期低下などを防止することができる。
【００４４】
以上、本考案の実施形態について図面を参照して詳述してきたが、具体的な構成はこれらの実施形態に限られるものではなく、本考案の要旨を逸脱しない範囲の設計の変更等があっても本考案に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本考案の実施形態は各図を組み合わせた一つの実施形態に限定されるものではない。
また、本考案に係るラベル発行装置を、ＰＯＳレジスタ、ラベル発行機能を備えた包装装置、プリンタなどに適用してもよい。
【符号の説明】
【００４５】
１  制御部（ＣＰＵ）
２  ＲＯＭ（記憶部）
３  ＲＡＭ（記憶部）
５  操作部
６  表示部
９  印字部
１００  商品販売データ処理装置（ラベル発行装置）
１０１  清掃情報出力手段（清掃情報出力部）
１０２  選択手段（選択部）
【図１】
0003196102.tif 000003
【図２】
0003196102.tif 000004
【図３】
0003196102.tif 000005
【図４】
0003196102.tif 000006
【図５】
0003196102.tif 000007
【図６】
0003196102.tif 000008
【図７】
0003196102.tif 000009
【図８】
0003196102.tif 000010